(57)【特許請求の範囲】
【請求項１】
配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片と下傾状の掛止片とが、上下に対称状に一対備えられ、前記フックを前記縦フレームの左右側面の何れ側にも固設可能に構成されてなり、該掛止片に前記前板を掛止した時に、該掛止片の傾斜に沿って前板が下降し、該前板が前記配管ケースの前面に当接するように構成されていることを特徴とする配管ユニットの前板固定構造。
【請求項２】
配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片とを備え、前記フックには、縦フレームに固設した時に該縦フレームの前面に当接してフックの回転止めをなすストッパー片が備えられてなり、該掛止片に前記前板を掛止した時に、該掛止片の傾斜に沿って前板が下降し、該前板が前記配管ケースの前面に当接するように構成されていることを特徴とする配管ユニットの前板固定構造。
【発明の詳細な説明】
【０００１】
【産業上の利用分野】
この発明は、配管ユニットの前板を固定する固定構造に関するものである。
【０００２】
【従来の技術及びその課題】
従来、図５に分解斜視図で示すように、配管ユニット１は、給水管，排水管，通気管等を収容した配管ケース２と、この配管ケース２の前面に取り付けられる下前板３及び上前板４で構成されており、下前板３を配管ケース２の前面に取り付けて、下前板３の前面側に便器５を設置できるものである。
配管ケース２を構成する縦フレーム６，６には、フレーム横材５１，５１が溶接等で横方向へ突出形成されており、従来では、図６に拡大して示すように、このフレーム横材５１に溶接ナット５２を設けておき、その上面に、スペーサー５３を介在させて長孔５４ａを有する引っ掛けアングル５４を設け、ビス５５を溶接ナット５２に締め付けて引っ掛けアングル５４を固定し、図７の側面断面図で示すように、この引っ掛けアングル５４に対し、前面側から下前板３の上端を掛止し、また上前板４の下端を掛止して、引っ掛けアングル５４を介して配管ケース２の前面に前板３，４を固定していた。
【０００３】
このような従来構造においては、スペーサー５３により引っ掛けアングル５４の高さ調節を行い、かつ、長孔５４ａを介して引っ掛けアングル５４の前後位置を調節して取り付けており、引っ掛けアングル５４が前方へ出過ぎると、前板３，４を引っ掛けた時に前板３，４と配管ケース２間に隙間が生じてしまい、逆に、引っ掛けアングル５４が引っ込み過ぎると、前板３，４を掛けることができないこととなり、引っ掛けアングル５４の位置を調節することが非常に面倒で、施工に手間が掛かるものであった。また、部品点数が多く、加工コストも増大してしまうものであり、さらには、引っ掛けアングル５４に回転が生じて上手く前板３，４を掛けることができない事態も生じていた。また、フレーム横材５１が必要であるため配管ケース２の設計が難しくなるという問題点があった。
【０００４】
【課題を解決するための手段】
本発明は上記従来の問題点に鑑み案出したものであって、部品点数を減少させ、調整が容易となり、良好に前板を取付固定できる配管ユニットの前板固定構造を提供せんことを目的とし、その第１の要旨は、配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片と下傾状の掛止片とが、上下に対称状に一対備えられ、前記フックを前記縦フレームの左右側面の何れ側にも固設可能に構成されてなり、該掛止片に前記前板を掛止した時に、該掛止片の傾斜に沿って前板が下降し、該前板が前記配管ケースの前面に当接するように構成されていることである。
また、第２の要旨は、配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片とを備え、前記フックには、縦フレームに固設した時に該縦フレームの前面に当接してフックの回転止めをなすストッパー片が備えられてなり、該掛止片に前記前板を掛止した時に、該掛止片の傾斜に沿って前板が下降し、該前板が前記配管ケースの前面に当接するように構成されていることである。
【０００５】
【実施例】
以下、本発明の実施例を図面に基づいて説明する。
図１は、前板３，４を配管ケース２に取り付けるために用いられるフックの斜視構成図であり、図２は、このフックを配管ケース２の縦フレーム６に固設する状態の斜視構成図である。
【０００６】
フック７は、固定片９と直交片１０で構成されるＬ字状をなす本体部８を備え、この本体部８の固定片９には、上下方向に長い長孔９ａが貫通形成されたものとなっており、また、直交片１０の上端及び下端には、それぞれ横方向に下掛止片１１と上掛止片１２が上下に対称状に形成されており、下掛止片１１における図示右端には、固定片９よりも外側へ突出してストッパー片１１ａが延出形成されており、同様に上掛止片１２の右端にも、固定片９よりも外側へ突出してストッパー片１２ａが突出形成されたものとなっており、また、下掛止片１１及び上掛止片１２には固定片９側から回り込んで補強リブ部１３，１３が一体形成されて補強されたものとなっている。
【０００７】
このフック７の固定片９を、図２のように、配管ケース２の縦フレーム６の左側面６ｂに設けた図示しない溶接ナットに対し、長孔９ａを整合させて、長孔９ａ内にネジ１５を通してナットに締め付けて、フック７の固定片９を縦フレーム６の左側面６ｂに長孔９ａを介し上下方向に高さ調節して固定することができ、この固設状態においては、縦フレーム６の前面６ａよりも前方側へ突出して下掛止片１１と上掛止片１２が配置されることとなり、また、縦フレーム６の前面６ａにストッパー片１１ａ，１２ａが当接状態となって、ストッパー片１１ａ，１２ａによりフック７の回転が防がれるものであり、フック７が緩む方向に回転することがなく、強固にフック７をネジ１５で固定することができるものである。
【０００８】
フック７の固設状態を図３の側面図と、図４の配管ケース２の裏側から見た正面図で示す。
即ち、フック７は、前記長孔９ａの縦方向中心線が、縦フレーム６の前後方向の中央に位置するように設計されており、フック７をネジ１５で固定した状態では、下掛止片１１及び上掛止片１２が縦フレーム６の前面６ａから突出するように予め設計されている。従って、フック７を固設する際には、長孔９ａを介し高さ方向のみを調節すれば良く、前後方向は全く調節する必要がなく、ストッパー片１１ａ，１２ａを縦フレーム６の前面６ａに当接させて良好に位置決めすることができるものである。
【０００９】
このように縦方向のみを調節して、容易にフック７を縦フレーム６に固設することができ、この固設状態で、図３に示すように、フック７の下掛止片１１に、下前板３の上端と上前板４の下端を掛止して固定することができるものである。
図３において、下前板３の上端には、水平状に裏側へ折り曲げて上端水平片３ａが形成されており、上端水平片３ａの後端には、垂下状に折り曲げて垂下片３ｂが形成されており、この垂下片３ｂを下掛止片１１上に引っ掛けることができるものである。
【００１０】
また、上前板４の下端にも、裏側へ折り曲げて水平状に下端水平片４ａが形成されており、下端水平片４ａの後端には、垂下状に垂下片４ｂが形成されており、下前板３の上端水平片３ａ上に上前板４の下端水平片４ａを重ね、垂下片３ｂの後面に垂下片４ｂを重ね合わせて、図３のように下掛止片１１に掛止することができ、この掛止状態においては、下掛止片１１が上傾状に形成されているため、この下掛止片１１の傾斜に沿って、垂下片３ｂ，４ｂが下方側へ自重で下降してゆき、やがては、垂下片３ｂ，４ｂは縦フレーム６の前面に当接状態となって、前板３，４は良好に配管ケース２の前面に当接状に固定されることとなる。
【００１１】
従って、下掛止片１１に下前板３の上端及び上前板４の下端を掛止するだけで、自然に前板３，４の自重により、前板は配管ケース２の前面に隙間なく当接されて固定状態となり、従来のように隙間が形成されることがなく、また前板３，４が取り付けにくくなることはなく、容易に施工することができるものとなる。
なお、フック７には、対称状に上掛止片１２も形成されているため、縦フレーム６の右側面６ｃに、このフック７を固設する際には、上下を逆転させて上掛止片１２を下側にして使用することができるものであり、左右に兼用できるようにフック７には下掛止片１１と上掛止片１２が対称状に形成されている。
【００１２】
このような構造では、従来のようなフレーム横材５１を設ける必要はないために、配管ケース２の設計が容易となり、しかも従来のようなスペーサー等の部品が不要であるため、部品点数が減少して加工も楽なものとなり、コストを低減させて製作することができる。
なお、本例では、便器用の配管ユニットにおける前板３，４の固定構造を例示しているが、便器用に限らず、水まわり衛生設備の配管ユニットにおいて、このような前板の固定構造を採用して施工を容易に行なうことができるものである。
【００１３】
【発明の効果】
本発明は、配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片と下傾状の掛止片とが、上下に対称状に一対備えられ、前記フックを前記縦フレームの左右側面の何れ側にも固設可能に構成されてなり、該掛止片に前記前板を掛止した時に、該掛止片の傾斜に沿って前板が下降し、該前板が前記配管ケースの前面に当接するように構成されていることにより、フックは高さ方向のみ調節すれば良く、容易に縦フレームに位置決めして固定することができ、このフックに前板を掛止すれば、前板の自重で前板は自然に配管ケースの前面に当接するため、施工が極めて容易で、隙間のないように良好に前板を固定することができるものとなる。また、部品点数も少なく、加工も楽であり、従来のようなフレーム横材が不要となり、配管ケースのコストも低減させることができるものとなる。
また、掛止片が、上下に対称状に一対備えられ、フックを縦フレームの左右側面の何れ側にも固設可能に構成されていることにより、縦フレームの左右の側面の何れ側にも上下を反転させて取り付けることができ、フックを左右兼用で使用することができ、より施工性が良好なものとなる。
【００１４】
また、配管を収容した配管ケースの前面に、フックを介し前板を固定する配管ユニットの前板固定構造であって、前記フックは、配管ケースを構成する縦フレームの側面に長孔を介し高さ調整可能に固設される本体部と、該本体部の固設状態で前記配管ケースの前面に突出状となる上傾状の掛止片とを備え、前記フックには、縦フレームに固設した時に該縦フレームの前面に当接してフックの回転止めをなすストッパー片が備えられてなり、該掛止片に前記前板を掛止した時に、該掛止片の傾斜に沿って前板が下降し、該前板が前記配管ケースの前面に当接するように構成されていることにより、フックは高さ方向のみ調節すれば良く、容易に縦フレームに位置決めして固定することができ、このフックに前板を掛止すれば、前板の自重で前板は自然に配管ケースの前面に当接するため、施工が極めて容易で、隙間のないように良好に前板を固定することができるものとなる。また、ストッパー片が縦フレームに当接してフックの回転を止めるために、フックが従来のように回転して施工が困難になったり、隙間等が生ずることがないものとなる。
【図面の簡単な説明】
【図１】  前板固定用に用いられるフックの斜視構成図である。
【図２】  図１のフックを配管ケースの縦フレームに固定する状態の斜視構成図である。
【図３】  フックを固定した状態で、このフックに前板を掛止した状態の側面構成図である。
【図４】  図３の裏側から見た正面構成図である。
【図５】  配管ケースと前板の配置分解構成図である。
【図６】  従来の固定部材の分解斜視図である。
【図７】  図６のアングルに前板を引っ掛けて取り付けた状態の側面構成図である。
【符号の説明】
１  配管ユニット
２  配管ケース
３  下前板
３ａ  上端水平片
３ｂ  垂下片
４  上前板
４ａ  下端水平片
４ｂ  垂下片
５  便器
６  縦フレーム
６ａ  前面
６ｂ  左側面
６ｃ  右側面
７  フック
８  本体部
９  固定片
９ａ  長孔
１０  直交片
１１  下掛止片
１１ａ  ストッパー片
１２  上掛止片
１２ａ  ストッパー片
１３  補強リブ部
１５  ネジ
【図１】
0003769724.tif 000002
【図２】
0003769724.tif 000003
【図３】
0003769724.tif 000004
【図４】
0003769724.tif 000005
【図５】
0003769724.tif 000006
【図６】
0003769724.tif 000007
【図７】
0003769724.tif 000008